(57)【要約】      （修正有）【課題】外部から流入した静電気による影響を抑制可能な、静電誘導型の駆動装置を備える時計を提供する。【解決手段】時計は、導電性を有する外装ケースと、外装ケースに形成される開口を介して外装ケースの内部に挿通されており、ユーザの操作を受け付ける、導電性を有する操作部材８１、８２と、電荷を帯びたエレクトレット膜１１１が設けられるエレクトレット面を有するエレクトレット基板１１０と、エレクトレット膜１１１に対向して配置される電極が設けられる対向基板と、エレクトレット基板１１０と対向基板とを相対的に回転させる回転軸１５０と、を含む静電モータ２００と、を有し、操作部材８１、８２と外装ケースとは、平面視においてエレクトレット面と重ならない導通経路を介して導通されている。【選択図】図１５
2020153969.tif 000002
【特許請求の範囲】
【請求項１】
導電性を有する外装ケースと、
前記外装ケースに形成される開口を介して前記外装ケースの内部に挿通されており、ユーザの操作を受け付ける、導電性を有する操作部材と、
電荷を帯びたエレクトレット膜が設けられるエレクトレット面を有するエレクトレット基板と、前記エレクトレット膜に対向して配置される電極が設けられる対向基板と、前記エレクトレット基板と前記対向基板とを相対的に回転させる回転軸と、を含む静電誘導型変換器と、
電池と、
を有し、
前記操作部材と前記外装ケースとは、平面視において前記エレクトレット面と重ならない導通経路を介して導通されている、
時計。
【請求項２】
計時機能を担う制御回路が搭載された時計回路基板と、
前記時計回路基板と前記外装ケースとを導通する導通部材と、
を有する、
請求項１に記載の時計。
【請求項３】
前記導通経路は、前記時計回路基板を通過する経路であり、
前記時計回路基板は、平面視において、前記エレクトレット面と重ならないように配置されている、
請求項２に記載の時計。
【請求項４】
前記操作部材と前記時計回路基板とを導通する導通経路上に設けられており、ユーザによる前記操作部材の操作に伴い姿勢が変位する部材は、平面視において、前記エレクトレット面と重ならないように配置されている、
請求項２又は３に記載の時計。
【請求項５】
前記時計回路基板は、平面視において、前記エレクトレット面を避けるように形成される切り欠きを有している、
請求項２〜４のいずれか１項に記載の時計。
【請求項６】
前記操作部材の操作に伴い姿勢が変位する部材と連動する輪列は、平面視において、前記エレクトレット面と重ならないように配置されている、
請求項１〜５のいずれか１項に記載の時計。
【請求項７】
前記電池は、平面視において、前記エレクトレット面と重ならないように配置される、
請求項１〜６のいずれか１項に記載の時計。
【請求項８】
平面視において、１２時位置と６時位置とを結ぶ第１の直線と、３時位置と９時位置とを結ぶ第２の直線とにより区画される４つの領域のうち、前記回転軸と前記電池とは異なる領域に配置されている、
請求項７に記載の時計。
【請求項９】
前記静電誘導型変換器は、複数配置され、
平面視において、１２時位置と６時位置とを結ぶ第１の直線と、３時位置と９時位置とを結ぶ第２の直線とにより区画される４つの領域のうち、少なくとも、前記複数の静電誘導型変換器のそれぞれの前記回転軸は、異なる領域に配置されている、
請求項１〜８のいずれか１項に記載の時計。
【請求項１０】
前記静電誘導型変換器は駆動装置である、
請求項１〜９のいずれか1項に記載の時計。
【請求項１１】
前記静電誘導型変換器は、複数配置され、少なくとも二つは、発電装置であり、
平面視において、１２時位置と６時位置とを結ぶ第１の直線と、３時位置と９時位置とを結ぶ第２の直線とにより区画される４つの領域のうち、少なくとも、前記駆動装置の前記回転軸と、前記発電装置の前記回転軸は、それぞれ異なる領域に配置されている、
請求項１０に記載の時計。
【請求項１２】
前記時計の姿勢に応じて回転し、該回転を前記発電装置の前記エレクトレット基板へ伝達する回転錘と、
平面視において、前記回転錘の回転軌跡と重ならないように配置されており、前記導通経路上で前記外装ケースと導通される導通部材と、
を有する、
請求項１１に記載の時計。
【請求項１３】
平面視において、１２時位置と６時位置とを結ぶ直線により区画される２つの領域のうち、前記操作部材と、前記駆動装置の前記回転軸とは異なる領域に配置されている、
請求項１０〜１２のいずれか１項に記載の時計。
【請求項１４】
指針を有し、
前記駆動装置は、前記指針を運針させる、
請求項１０〜１３のいずれか１項に記載の時計。
【請求項１５】
電磁モータをさらに有し、
前記指針は、少なくとも、秒針と、分針と、時針とを含み、
前記電磁モータは、前記分針及び前記時針を運針させ、
前記駆動装置は、前記秒針を運針させる、
請求項１４に記載の時計。
【請求項１６】
前記電磁モータが有するコイルは、平面視において前記駆動装置の前記エレクトレット面と重ならないように配置されている、
請求項１５に記載の時計。
【請求項１７】
平面視における、前記電磁モータと前記電池との最短距離よりも、前記駆動装置と前記電池との最短距離の方が遠い、
請求項１５又は１６に記載の時計。
【請求項１８】
前記外装ケースは、胴と裏蓋を含み、
前記操作部材は前記導通経路を介して前記裏蓋と導通している、
請求項１〜１７のいずれか１項に記載の時計。
【請求項１９】
文字板をさらに有し、
前記文字板には、前記エレクトレット基板の少なくとも一部を外部から視認させる貫通孔部が形成されている、
請求項１〜１８のいずれか１項に記載の時計。
【請求項２０】
厚み方向において前記エレクトレット基板と前記文字板との間に設けられており、前記貫通孔部の形状に沿った形状の貫通孔部が形成される金属板をさらに有する、
請求項１９に記載の時計。
【発明の詳細な説明】
【技術分野】
【０００１】
本発明は、静電誘導型変換器を備える時計に関する。
【背景技術】
【０００２】
特許文献１には、電荷を帯びたエレクトレット膜が設けられる基板と、エレクトレット膜に対向して配置される電極が設けられる基板とを有する、静電誘導型変換器を備える時計が開示されている。静電誘導型変換器は、発電装置や駆動装置として用いられることが知られている。
【先行技術文献】
【特許文献】
【０００３】
【特許文献１】特開２０１３−５９１４９号
【発明の概要】
【発明が解決しようとする課題】
【０００４】
ここで、ユーザが竜頭を操作した際に、ユーザの指が竜頭に接触することにより生じた静電気が時計内部に流入する場合がある。上述の静電誘導型変換器においては、エレクトレット基板の帯電電圧が外部から流入された静電気の影響を受けることにより、動作に不具合が生じてしまう可能性がある。特に、指針を駆動するモータとして静電誘導型変換器を用いる場合、静電誘導型変換器の動作の不具合は時刻を表示するという時計本来の機能を損なうことに繋がるおそれがある。
【０００５】
本発明は上記課題に鑑みてなされたものであって、その目的は、静電誘導型変換器を備える時計において、外部から流入した静電気による影響を抑制することにある。
【課題を解決するための手段】
【０００６】
上記課題を解決すべく本出願において開示される発明は種々の側面を有しており、それら側面の代表的なものの概要は以下の通りである。
【０００７】
（１）導電性を有する外装ケースと、前記外装ケースに形成される開口を介して前記外装ケースの内部に挿通されており、ユーザの操作を受け付ける、導電性を有する操作部材と、電荷を帯びたエレクトレット膜が設けられるエレクトレット面を有するエレクトレット基板と、前記エレクトレット膜に対向して配置される電極が設けられる対向基板と、前記エレクトレット基板と前記対向基板とを相対的に回転させる回転軸と、を含む静電誘導型変換器と、電池と、を有し、前記操作部材と前記外装ケースとは、平面視において前記エレクトレット面と重ならない導通経路を介して導通されている、時計。
【０００８】
（２）（１）において、計時機能を担う制御回路が搭載された時計回路基板と、前記時計回路基板と前記外装ケースとを導通する導通部材と、を有する、時計。
【０００９】
（３）（２）において、前記導通経路は、前記時計回路基板を通過する経路であり、前記時計回路基板は、平面視において、前記エレクトレット面と重ならないように配置されている、時計。
【００１０】
（４）（２）又は（３）において、前記操作部材と前記時計回路基板とを導通する導通経路上に設けられており、ユーザによる前記操作部材の操作に伴い姿勢が変位する部材は、平面視において、前記エレクトレット面と重ならないように配置されている、時計。
【００１１】
（５）（２）〜（４）のいずれかにおいて、前記時計回路基板は、平面視において、前記エレクトレット面を避けるように形成される切り欠きを有している、時計。
【００１２】
（６）（１）〜（５）のいずれかにおいて、前記操作部材の操作に伴い姿勢が変位する部材と連動する輪列は、平面視において、前記エレクトレット面と重ならないように配置されている、時計。
【００１３】
（７）（１）〜（６）のいずれかにおいて、前記電池は、平面視において、前記エレクトレット面と重ならないように配置される、時計。
【００１４】
（８）（７）において、平面視において、１２時位置と６時位置とを結ぶ第１の直線と、３時位置と９時位置とを結ぶ第２の直線とにより区画される４つの領域のうち、前記回転軸と前記電池とは異なる領域に配置されている、時計。
【００１５】
（９）（１）〜（８）のいずれかにおいて、前記静電誘導型変換器は、複数配置され、平面視において、１２時位置と６時位置とを結ぶ第１の直線と、３時位置と９時位置とを結ぶ第２の直線とにより区画される４つの領域のうち、少なくとも、前記複数の静電誘導型変換器のそれぞれの前記回転軸は、異なる領域に配置されている、時計。
【００１６】
（１０）（１）〜（９）のいずれかにおいて、前記静電誘導型変換器は駆動装置である、時計。
【００１７】
（１１）（１０）において、前記静電誘導型変換器は、複数配置され、少なくとも二つは、発電装置であり、平面視において、１２時位置と６時位置とを結ぶ第１の直線と、３時位置と９時位置とを結ぶ第２の直線とにより区画される４つの領域のうち、少なくとも、前記駆動装置の前記回転軸と、前記発電装置の前記回転軸は、それぞれ異なる領域に配置されている、時計。
【００１８】
（１２）（１１）において、前記時計の姿勢に応じて回転し、該回転を前記発電装置の前記エレクトレット基板へ伝達する回転錘と、平面視において、前記回転錘の回転軌跡と重ならないように配置されており、前記導通経路上で前記外装ケースと導通される導通部材と、を有する、時計。
【００１９】
（１３）（１０）〜（１２）のいずれかにおいて、平面視において、１２時位置と６時位置とを結ぶ直線により区画される２つの領域のうち、前記操作部材と、前記駆動装置の前記回転軸とは異なる領域に配置されている、時計。
【００２０】
（１４）（１０）〜（１３）のいずれかにおいて、指針を有し、前記駆動装置は、前記指針を運針させる、時計。
【００２１】
（１５）（１４）において、電磁モータをさらに有し、前記指針は、少なくとも、秒針と、分針と、時針とを含み、前記電磁モータは、前記分針及び前記時針を運針させ、前記駆動装置は、前記秒針を運針させる、時計。
【００２２】
（１６）（１５）において、前記電磁モータが有するコイルは、平面視において前記駆動装置の前記エレクトレット面と重ならないように配置されている、時計。
【００２３】
（１７）（１５）又は（１６）において、平面視における、前記電磁モータと前記電池との最短距離よりも、前記駆動装置と前記電池との最短距離の方が遠い、時計。
【００２４】
（１８）（１）〜（１７）のいずれかにおいて、前記外装ケースは、胴と裏蓋を含み、前記操作部材は前記導通経路を介して前記裏蓋と導通している、時計。
【００２５】
（１９）（１）〜（１８）のいずれかにおいて、文字板をさらに有し、前記文字板には、前記エレクトレット基板の少なくとも一部を外部から視認させる貫通孔部が形成されている、時計。
【００２６】
（２０）（１９）において、厚み方向において前記エレクトレット基板と前記文字板との間に設けられており、前記貫通孔部の形状に沿った形状の貫通孔部が形成される金属板をさらに有する、時計。
【発明の効果】
【００２７】
上記本発明の（１）〜（２０）の側面によれば、外部から流入した静電気による影響を抑制することができる。
【図面の簡単な説明】
【００２８】
【図１】本実施形態に係る腕時計の全体構成の概要を示す平面図である。
【図２】図１のＩＩ−ＩＩ切断線で切断した断面を示す断面図である。
【図３】本実施形態に係る腕時計の構成の概要を示すブロック図である。
【図４】本実施形態の静電誘導型変換器を模式的に示す模式図である。
【図５】本実施形態のエレクトレット基板を示す平面図である。
【図６】本実施形態の対向基板を示す平面図である。
【図７】静電モータの作動原理の一例を説明する概略回路図である。
【図８】静電誘導型の発電装置の作動原理の一例を説明する概略回路図である。
【図９】本実施形態に係る腕時計の内部を裏側から見た概略平面図である。
【図１０】本実施形態に係る腕時計の内部を表側から見た概略平面図である。
【図１１】巻真、及びおしどりの構成を示すと共に、導通経路を示す図である。
【図１２】裏押さえの構成を示すと共に、導通経路を示す図である。
【図１３】裏物押さえの構成を示すと共に、導通経路を示す図である。
【図１４】図９の領域Ｂを拡大して示す拡大図であって、導通経路を示す図である。
【図１５】本実施形態に係る腕時計の内部構成を示すと共に、導通経路を示す図である。
【図１６】本実施形態の第１変形例に係る腕時計の内部構成を示すと共に、導通経路を示す図である。
【図１７】第２変形例の腕時計の内部を裏側から見た概略平面図である。
【図１８】おしどり及びその周辺を示す斜視図である。
【図１９】図１７のＸＩＸ−ＸＩＸ切断線における断面を示す断面図である。
【発明を実施するための形態】
【００２９】
以下、本発明の各実施形態について図面に基づき詳細に説明する。
【００３０】
まず、図１〜図３を参照して、本実施形態に係る腕時計の全体構成の概要について説明する。図１は、本実施形態に係る腕時計の全体構成の概要を示す平面図である。図２は、図１のＩＩ−ＩＩ切断線で切断した断面を示す断面図である。図３は、本実施形態に係る腕時計の構成の概要を示すブロック図である。
【００３１】
なお、図２は、竜頭８１とアースバネ４２０を通る切断線で切断した断面を示している。また、図２においては、指針の配置を分かりやすくするため、秒針２、分針３、時針４がそれぞれ切断線上にある場合の断面を示している。
【００３２】
腕時計１は、図１、図２に示すように、胴３１１や裏蓋３１２を含む外装ケース３１と、外装ケース３１内に配置された文字板３２と、時刻を示す指針である秒針２、分針３、時針４を有する。文字板３２には略字３３や時字３４が設けられている。また、外装ケース３１の３時側の側面にはユーザが種々の操作を行うための竜頭８１が配置されている。
【００３３】
竜頭８１は、ユーザからの操作を受け付ける。ユーザは竜頭８１を回転させたり、押し引きさせたり等の操作を行うことにより、時刻修正や、腕時計１が備える種々の機能を発揮させることができる。
【００３４】
外装ケース３１は導電性を有する部材からなるとよい。具体的には、外装ケース３１を構成する胴３１１と裏蓋３１２は、ＳＵＳ（Stainless Used Steel、ステンレス）やチタン合金などの金属からなるとよい。
【００３５】
なお、図１に示した腕時計１のデザインは一例である。ここで示したもの以外にも、例えば、外装ケース３１を丸型でなく角型にしてもよいし、数や配置が任意のボタンを設けてもよい。また、図１においては、指針を秒針２、分針３、時針４の３本としているが、これに限定されず、曜日、タイムゾーンやサマータイムの有無、電波の受信状態や電池の残量、各種の表示を行う指針や、日付表示等を追加したりしてもよい。
【００３６】
図２に示すように、腕時計１は、文字板３２を覆うようにガラス等の透明材料により形成された風防３５を有し、風防３５は胴３１１に取り付けられている。また、風防３５の反対側においては裏蓋３１２が胴３１１に取り付けられている。本明細書では、以降、風防３５が配置される側（図１における紙面手前側）を表側、裏蓋３１２が配置される側（図１における紙面奥側）を裏側と呼ぶこととする。また、各構成の表側の面を表面、裏側の面を裏面とも呼ぶこととする。
【００３７】
図２に示すように、腕時計１は、さらに、文字板３２の裏側に設けられる、動力機構としてのムーブメント３８を有する。ムーブメント３８は、指針を駆動するための輪列とモータ、計時機能を担う制御回路４０（図３参照）が搭載された時計回路基板４１３（図１５参照）等を、地板４１１（図９等参照）と呼ばれる枠に一体に組み付けたものである。
【００３８】
また、腕時計１は、ムーブメント３８から裏蓋３１２に向けて延びる導通部材であるアースバネ４２０を有する。アースバネ４２０は、裏蓋３１２の内面３１２ａに弾性変形した状態で接触しており、ムーブメント３８と裏蓋３１２とを導通している。より具体的には、ムーブメント３８に組み込まれる時計回路基板４１３と、裏蓋３１２とを導通している。なお、各部材間の導通、及びその経路の詳細については後述する。
【００３９】
アースバネ４２０は、その弾性力の反力により裏蓋３１２の内面３１２ａに接触する状態が維持されるように設けられている。なお、裏蓋３１２の内面３１２ａとは、裏蓋３１２の面のうち腕時計１の内部においてムーブメント３８と対向する面である。
【００４０】
図２においては、導通部材であるアースバネ４２０として金属性の板バネを示すが、これに限られるものではない。裏蓋３１２の内面３１２ａに対する接触状態、すなわち導通状態が維持されるものであればよく、例えば、導通部材は、裏蓋３１２の内面３１２ａに対して弾性的に接触する金属性のスプリング等であってもよい。
【００４１】
また、腕時計１は、図３に示すように、静電誘導型の発電装置である発電装置１００と、電池２０と、制御回路４０と、静電モータ駆動回路５０と、静電誘導型の駆動装置である静電モータ２００と、電磁モータ駆動回路６０と、電磁モータ（ステップモータ）７０とを含む。これらはいずれも、後述の図１０等に示す地板４１１に組み込まれている。
【００４２】
制御回路４０は、メモリ等を内蔵するマイクロコンピュータであって、メモリに記憶されるプログラムに従って、腕時計１に含まれる各種回路等の動作を制御する。静電モータ駆動回路５０は、制御回路４０により動作が制御され、静電モータ２００を駆動する。静電モータ２００は、輪列５を介して秒針２を運針させる。電磁モータ駆動回路６０は、制御回路４０により動作が制御され、電磁モータ７０を駆動する。電磁モータ７０は、輪列６を介して分針３と時針４を運針させる。
【００４３】
ここで、秒針２は、時刻を示す時刻針としてのみでなく、表示針として使用される場合がある。なお、表示針とは、曜日、タイムゾーンやサマータイムの有無、電波の受信状態や電池の残量、各種の表示を行う指針である。秒針２を表示針として使用する場合であっても、分針３と時針４は時刻針として機能する。そのため、秒針２は、分針３、時針４と互いに連動しないように、分針３、時針４と異なるモータや輪列を介して運針する構成とするのが好ましい。また、指針を連続的に流れるように運針させるモータとしては静電モータ２００が好ましく、指針をステップ運針させるモータとしては電磁モータ７０が好ましい。そのため、本実施形態においては、図２に示すように、秒針２を静電モータ２００により運針させ、分針３及び時針４を電磁モータ７０で運針させる構成を採用した。ただし、静電モータ２００を複数設けて、静電モータ２００により分針３や時針４を運針させる構成を採用しても構わない。
【００４４】
電池２０は、発電装置１００において生じると共に整流回路６１、６２により整流された電気エネルギーにより駆動する二次電池であるとよい。なお、発電装置１００は必須ではなく、腕時計１が発電装置１００を有しない場合は、電池２０は一次電池であってもよい。
【００４５】
また、発電装置１００は、エレクトレット基板１１０と、対向基板１２０、１３０とを含む。また、静電モータ２００は、エレクトレット基板１１０と、対向基板１２０、１３０とを含む。
【００４６】
なお、腕時計１は、図３に示す各構成に加えて、電池２０からの出力電圧を一定にする定電圧源や、低電圧で静電モータ駆動回路５０を駆動させるための昇圧回路などを含んでいてもよい。
【００４７】
次に、図４〜図８を参照して、本実施形態の静電誘導型変換器について説明する。図４は、本実施形態の静電誘導型変換器を模式的に示す模式図である。図５は、本実施形態のエレクトレット基板を示す平面図である。図６は、本実施形態の対向基板を示す平面図である。図６においては、静電誘導型変換器を駆動装置として用いた場合の対向基板を示している。
【００４８】
ここで、静電誘導型変換器とは、静電誘導を用いて、運動エネルギーと電気エネルギーとを相互に変換する機器を意味しており、静電誘導型の発電装置又は静電誘導型の駆動装置を指している。その原理は後述するが、静電誘導型変換器に外力を作用させ、運動エネルギーを与えるとそのエネルギーを電気エネルギーに変換して取り出すことができ、これはすなわち発電装置である。また、静電誘導型変換器に電気エネルギーを与えると、そのエネルギーを運動エネルギーとして取り出すことができ、これはすなわち、駆動装置である。なお、本実施形態においては、発電装置１００が静電誘導型の発電装置に相当し、静電モータ２００が静電誘導型の駆動装置に相当するものである。
【００４９】
静電誘導型変換器は、機械的な回転運動を電気エネルギーに変え、又は電気エネルギーを機械的な回転運動として取り出す。以下、静電モータ２００の基本的な構造について説明する。なお、発電装置１００についても基本的な構造は同様であるため、説明を省略する。
【００５０】
静電モータ２００は、エレクトレット基板１１０と、対向基板１２０と、対向基板１３０と、回転軸１５０とを有している。エレクトレット基板１１０及び回転軸１５０は金属からなるとよい。回転軸１５０は、その軸線が裏蓋３１２を貫く方向に向いて設けられるとよい。また、エレクトレット基板１１０、対向基板１２０、１３０は、裏蓋３１２の内面３１２ａと略平行に配置されているとよい。
【００５１】
エレクトレット基板１１０は、円板形状であって、一方の面にエレクトレット膜１１１が設けられており、他方の面にエレクトレット膜１１２が設けられている。以下、エレクトレット基板１１０のうちエレクトレット膜１１１、１１２が設けられる面を、エレクトレット面１１１ａ、１１２ａと呼ぶ。なお、ここで、円板形状とは、その部材が全体としておおむね平坦な円板形状をしていることを指しており、その面内に、適宜の貫通孔が設けられたり、外周部に切り欠きや凸部その他の加工が施されたりすることは差し支えない。
【００５２】
図５に示すように、エレクトレット膜１１１は、周方向に互いに間隔を空けて並ぶように複数設けられている。なお、図示は省略するが、エレクトレット膜１１２も同様に、周方向に互いに間隔を空けて並ぶように複数設けられている。
【００５３】
ここで、エレクトレット膜の材料には、帯電しやすい材料を用い、例えば負電荷に帯電する材料としては酸化珪素や、フッ素樹脂等がある。かかる材料の具体的な一例として、旭硝子株式会社製のフッ素樹脂であるＣＹＴＯＰ（登録商標）が挙げられる。さらに、その他にもエレクトレット膜の材料としては、ポリプロピレン、ポリエチレンテレフタレート、ポリビニルクロライド、ポリスチレン、ポリテトラフルオロエチレン、ポリビニルデンジフルオライド、ポリビニルフルオライド等の高分子材料や、前述の酸化珪素、窒化珪素、酸化窒化珪素等の無機材料も使用することができる。
【００５４】
静電モータ２００においては、回転軸１５０はエレクトレット基板１１０の回転に伴い回転する。一方、後述のように、発電装置１００においては、エレクトレット基板１１０は回転軸１５０の回転に伴い回転する。
【００５５】
対向基板１２０は、円板形状であって、エレクトレット基板１１０のエレクトレット面１１１ａに対向する面に対向電極１２１が設けられている。以下、対向基板１２０のうち対向電極１２１が設けられると共にエレクトレット面１１１ａに対向して配置される面を、電極面１２１ａと呼ぶ。図６に示すように、対向電極１２１は、周方向に互いに間隔を空けて並ぶように複数設けられている。また、対向基板１２０は、その中心に軸孔１２３を有する。軸孔１２３には、回転軸１５０が挿通される。回転軸１５０は、対向基板１２０に対して固定されておらず、対向基板１２０に対して空転する。
【００５６】
なお、図示は省略するが、対向基板１３０も対向基板１２０と同様の構成である。すなわち、対向基板１３０は、円板形状であって、エレクトレット基板１１０のエレクトレット面１１２ａに対向する面に対向電極１３１が設けられている。以下、対向基板１３０のうち対向電極１３１が設けられると共にエレクトレット面１１２ａに対向して配置される面を、電極面１３１ａと呼ぶ。また、対向基板１３０は、回転軸１５０が挿通される軸孔１３３を有している。回転軸１５０は、対向基板１３０に対しても固定されておらず、対向基板１３０に対して空転する。
【００５７】
なお、対向基板１２０は、例えば、対向電極１２１が一体的に形成された成形回路部品（ＭＩＤ：Ｍｏｌｄｅｄ Ｉｎｔｅｒｃｏｎｎｅｃｔ Ｄｅｖｉｃｅ）であるとよい。ただし、これに限られるものではなく、対向基板１２０は、例えば、円板形状の基板上に、対向電極がパターニングされたフレキシブル回路基板（ＦＰＣ：Ｆｌｅｘｉｂｌｅ Ｐｒｉｎｔｅｄ Ｃｉｒｃｕｉｔｓ）が貼り付けられてなるものであっても構わない。対向基板１３０についても同様である。
【００５８】
対向基板１２０と対向基板１３０とは、図４に示すように、回転軸１５０が延伸する方向において、エレクトレット基板１１０に対して所定の間隔Ｇを空けて、エレクトレット基板１１０を挟むように配置されている。
【００５９】
なお、エレクトレット膜や対向電極の平面形状は、図５、図６に示したものに限られるものではない。また、例えば、エレクトレット基板１１０や対向基板１２０、１３０に周方向に所定の間隔を空けて並ぶ複数の貫通孔を形成し、それら貫通孔が形成されない領域に、エレクトレット膜や対向電極を配置する構成であってもよい。
【００６０】
図７は、静電モータの作動原理の一例を説明する概略回路図である。図７に示すように、エレクトレット基板１１０に設けられるエレクトレット膜１１１と、対向基板１２０に設けられる対向電極１２１とは所定のわずかな間隔を空けて配置されている。同様に、エレクトレット基板１１０に設けられるエレクトレット膜１１２と、対向基板１３０に設けられる対向電極１３１とは所定のわずかな間隔を空けて配置されている。なお、図７においては、対向基板１２０、１３０の図示は省略している。
【００６１】
また、上述のように、対向基板１２０及び対向基板１３０は、電極が存在する領域と存在しない領域とが周方向に交互に配置される構成であり、エレクトレット基板１１０は、エレクトレット膜が設けられる領域と設けられない領域とが周方向に交互に配置される構成である。
【００６２】
エレクトレット膜１１１、１１２は、所定の帯電状態となるように形成されている。本実施形態においては、エレクトレット膜１１１、１１２は、共に負電荷を持つように帯電している。また、対向電極１２１と対向電極１３１は、周方向についての位相が異なるように対向基板１２０及び対向基板１３０に配置されている。制御回路４０は、エレクトレット膜１１１、１１２の帯電状態の逆電荷が所定のタイミングで印加されるように静電モータ駆動回路５０に含まれるスイッチ６３を制御する。
【００６３】
対向電極１２１と対向電極１３１のいずれか片方にエレクトレット膜１１１、１１２の帯電状態の逆電荷が印加されると、静電気力により、エレクトレット膜１１１又はエレクトレット膜１１２が、逆電荷が印加された対向電極に正対するようエレクトレット基板１１０が回転する。スイッチ６３を適宜切り替えて対向電極１２１と対向電極１３１の逆電荷の印加の有無を交互にタイミングよく切り替えると、エレクトレット基板１１０を連続的に回転運動させることができる。エレクトレット基板１１０の回転に伴い回転軸１５０が回転することとなる。これにより、静電モータ２００において回転運動を取り出すことができる。
【００６４】
なお、図７においては、対向電極１２１と対向電極１３１とが周方向についての位相が異なるように、対向基板１２０及び対向基板１３０に配置されている例について示している。ただし、これに限られるものではなく、対向電極１２１と対向電極１３１は、周方向についての位相が同じになるように配置されていてもよい。
【００６５】
図８は、静電誘導型の発電装置の作動原理の一例を説明する概略回路図である。この場合においても、エレクトレット基板１１０と対向基板１２０、１３０とは、所定のわずかな間隔を空けて対向して配置されている。
【００６６】
発電装置１００においては、回転軸１５０の回転に伴いエレクトレット基板１１０が回転し、エレクトレット膜１１１と対向電極１２１とが正対する状態とそうでない状態が入れ替わり、かつ、エレクトレット膜１１２と対向電極１３１とが正対する状態とそうでない状態が入れ替わる。なお、回転軸１５０は、例えば、カナを有しており、カナに噛み合う不図示の輪列を介して回転錘１５の回転が伝達されるとよい。そして、回転軸１５０及びエレクトレット基板１１０は、回転錘１５の回転に伴い回転するとよい。回転錘１５は、例えば、腕時計１を腕に着用したユーザが歩行等する際のユーザの腕の動きに伴って回転するように設けられているとよい。
【００６７】
また、エレクトレット膜１１１、１１２は、所定の帯電状態となるように形成されている。本実施形態においては、エレクトレット膜１１１、１１２は、共に負電荷を持つように帯電している。対向基板１２０の対向電極１２１がエレクトレット膜１１１に正対している状態では、エレクトレット膜１１１の表面電荷に誘導されて対向電極１２１に反対極性の電荷が蓄積される（本実施形態においては、正電荷が対向電極１２１に蓄積される）。その後、エレクトレット基板１１０が回転し、エレクトレット膜１１１が対向電極１２１に正対しない状態となると、対向電極１２１に誘導され蓄積された電荷が掃き出され、整流回路６１により整流されて電気エネルギーとして取り出される。
【００６８】
同様に、対向基板１３０の対向電極１３１がエレクトレット膜１１２に正対している状態では、エレクトレット膜１１２の表面電荷に誘導されて対向電極１３１に反対極性の電荷が蓄積される（本実施形態においては、正電荷が対向電極１３１に蓄積される）。その後、エレクトレット基板１１０が回転し、エレクトレット膜１１２が対向電極１３１に正対しない状態となると、対向電極１３１に誘導され蓄積された電荷が掃き出され、整流回路６２により整流されて電気エネルギーとして取り出される。
【００６９】
以上説明した静電誘導型変換器を発電装置１００又は静電モータ２００として使用するための回路構成は一例であり、他の構成を採用してもよい。
【００７０】
次に、図９、図１０を参照して、本実施形態に係る腕時計の各部材の配置について説明する。図９は、本実施形態に係る腕時計の内部を裏側（裏蓋側）から見た概略平面図である。図１０は、本実施形態に係る腕時計の内部を表側（風防側）から見た概略平面図である。なお、実際には、静電モータ２００等よりも裏蓋３１２側（図９の紙面手前側）には、時計回路基板４１３等が配置されているが、静電モータ２００等の配置を示すため、図９においてはそれらを省略して図示している。また、図９においては、後述の伝達機構のうち裏物押さえ８５の図示は省略している。
【００７１】
図９、図１０においては、竜頭８１が配置される３時位置を「３Ｈ」で示し、９時位置を「９Ｈ」で示し、６時位置を「６Ｈ」で示し、１２時位置を「１２Ｈ」で示している。
【００７２】
上述のように、腕時計１は、ユーザの操作を受け付ける竜頭８１を有している。また、腕時計１は、竜頭８１からの操作を腕時計１内部に伝達する機構として、巻真８２と、おしどり８３と、裏押さえ８４と、裏物押さえ８５とを有している。なお、巻真８２と、胴３１１の開口３１１ａの内周面と、の間には防水用のゴム製のシール部材（不図示）等が設けられているとよい。また、ゴム製のシール部材が設けられることにより、巻真８２及び竜頭８１は、胴３１１の開口３１１ａの内周面に対して絶縁されているとよい。すなわち、巻真８２及び竜頭８１は、胴３１１に対して直接的に接触していないとよい。
【００７３】
以降の説明において、竜頭８１と、竜頭８１に取り付けられる巻真８２を総称して操作部材と呼ぶこととする。また、おしどり８３、裏押さえ８４、裏物押さえ８５を総称して伝達機構と呼ぶこととする。伝達機構を構成する各部材は、図９の破線Ｂで囲まれる領域に配置されている。ユーザからの操作を受け付けた竜頭８１の動作に応じて、伝達機構が連動し、その動力が輪列を介して指針軸に伝達されることにより、時刻修正等の各種機能が行われることとなる。なお、伝達機構を構成する部材は、ここで示したものに限られず、他にも所謂かんぬきと呼ばれる、おしどり８３の姿勢の変位に応じて姿勢が変位する部材などを含むものであるとよい。
【００７４】
伝達機構を構成する各部材は、導電性を有する材料からなり、互いに連動するように接触している。そのため、これら各部材は、互いに導通されている。伝達機構を構成する各部材は金属からなるとよい。なお、伝達機構の詳細については、図１１〜図１４を参照して後述する。
【００７５】
図１、図３を参照して上述したが、腕時計１は、図９に示すように、電池２０と、電磁モータ７０と、発電装置１００と、静電モータ２００とを有している。なお、図９においては、電磁モータ７０に含まれるコイル７１を図示している。
【００７６】
図９に示すように、腕時計１は、２つの発電装置１００と、１つの静電モータ２００とを有している。なお、十分な発電量を得るために、発電装置１００を２つ設けたが、これに限られるものではなく、発電装置１００は１つであってもよいし、３つ以上設けられてもよい。
【００７７】
ここで、静電モータ２００においては、エレクトレット基板１１０の帯電電圧を精度良く維持することが好ましい。帯電電圧が正常な値からずれてしまうと、静電モータ２００が適切に駆動できない可能性があるためである。そのため、静電モータ２００は、帯電電圧に影響を与えるものから離間して配置することが好ましい。
【００７８】
図９に示すように、本実施形態においては、発電装置１００、静電モータ２００、電池２０、電磁モータ７０に含まれるコイル７１は、平面視において互いに重ならないように配置されている。このように、腕時計１の内部に設けられる部材の中で比較的大きな部材が互いに重ならないようにすることで、腕時計１の厚みを低減することができる。
【００７９】
また、図９に示すように、１２時位置と６時位置とを結ぶ直線Ｌ１と、３時位置と９時位置とを結ぶ直線Ｌ２とにより区画される４つの領域のうち異なる領域に、２つの発電装置１００、静電モータ２００、電池２０及び電磁モータ７０をそれぞれ配置した。さらに具体的には、直線Ｌ１と直線Ｌ２とにより区画される４つの領域のうち異なる領域に、２つの発電装置１００が有する回転軸１５０、静電モータ２００が有する回転軸１５０、電池２０及び電磁モータ７０が有するコイル７１をそれぞれ配置した。
【００８０】
また、帯電されたエレクトレット膜１１１、１１２を含む静電モータ２００は、電気や磁気の影響を受ける可能性がある。本実施形態においては、静電モータ２００は、電池２０や電磁モータ７０と重ならないように配置されているため、電池２０や電磁モータ７０において生じている電気や磁気の影響を受けること無く正常に駆動することができる。
【００８１】
また、腕時計１においては、電磁モータ７０において生じる逆起電力を検出することにより、電磁モータ７０が有するロータの回転検出を行う技術を採用することができる。逆起電力は微小な電流波形からなるものである。本実施形態の静電モータ２００は、高電圧で制御されていることより、スイッチ６３等を含む回路に接続される配線からのノイズが、電磁モータ７０が有するロータの回転検出に影響を与える可能性がある。そのため、電磁モータ７０が静電モータ２００の近傍に配置されていると、適切な回転検出ができない可能性がある。また、電磁モータ７０が静電モータ２００の近傍に配置されていると、エレクトレット基板１１０の帯電電圧に影響を受け、適切な回転検出ができない可能性がある。そのため、電磁モータ７０は、平面視において静電モータ２００と重ならないように配置されることが好ましい。なお、レイアウトの都合上、静電モータ２００を構成する部材の一部を、平面視において電磁モータ２００と重ねて配置する場合は、スイッチ６３等を含む回路に接続される配線を含む層と、電磁モータ７０との間に、導電膜等からなるシールド層（不図示）を設けるとよい。なお、シールド層は、ベタパターンからなる層であるとよい。このようにシールド層を設けることにより、電磁モータ７０が、静電モータ２００を駆動するスイッチ６３等を含む回路に接続される配線からのノイズの影響を受けることを回避することができる。
【００８２】
また、静電モータ２００は、平面視において発電装置１００と重ならないように配置されている。そのため、それらが有するエレクトレット膜１１１、１１２に帯電している電荷が互いに影響を及ぼすことが抑制される。
【００８３】
図１０においては、地板４１１よりも表側に筒車押さえ４１２を配置した状態を示している。なお、筒車押さえ４１２とは、時針４を回転させる歯車である筒車を支持する金属板である。図１０の例においては、筒車押さえ４１２は、発電装置１００、静電モータ２００、電磁モータ７０のコイル７１の形状にそれぞれ対応した第２の貫通孔部である貫通孔部４１２ａ、４１２ｂ、第１の貫通孔部である貫通孔部４１２ｃ、その他の貫通孔部である貫通孔部４１２ｄを有している。このように、筒車押さえ４１２は、静電モータ２００の形状に対応した貫通孔部４１２ｃを有するため、平面視において、静電モータ２００の少なくとも一部は筒車押さえ４１２と重ならない。そのため、静電モータ２００は、金属からなる筒車押さえ４１２による影響を受けにくい。
【００８４】
ここで、ユーザが竜頭８１を操作する際、静電気が発生し、その静電気が竜頭８１を通じて腕時計１の内部に流れ込んでしまう可能性がある。この静電気が、静電モータ２００が有するエレクトレット基板１１０の帯電電圧に影響を与える可能性がある。本実施形態において、静電モータ２００は、秒針２の運針に用いられるものであり、時刻を表示するという時計本来の機能を損なわないように正常に動作させる必要がある。
【００８５】
特に、エレクトレット基板１１０のうちエレクトレット面１１１ａ、１１２ａの近傍に静電気が流れ込んでくると、エレクトレット基板１１０の帯電電圧に影響がでる可能性が高くなる。すなわち、平面視において、エレクトレット基板１１０と、竜頭８１から流れ込んできた静電気の導通経路とが重なると、静電モータ２００の駆動に影響がでる可能性が高くなる。
【００８６】
そこで、本実施形態においては、腕時計１の内部に流れ込んだ静電気による影響を受けにくい位置に静電モータ２００を配置した。すなわち、静電モータ２００を、平面視において、竜頭８１と裏蓋３１２とを導通する導通経路と重ならないように配置した。ここで、導通経路とは、竜頭８１から流入した静電気を裏蓋３１２へと電気的に短絡させる経路である。以下、さらに詳細について説明する。
【００８７】
図９〜図１５を参照して、腕時計１における竜頭８１と裏蓋３１２とを導通する導通経路について説明する。図１１は、巻真、及びおしどりの構成を示すと共に、導通経路を示す図である。図１２は、裏押さえの構成を示すと共に、導通経路を示す図である。図１３は、裏物押さえの構成を示すと共に、導通経路を示す図である。図１４は、図９の領域Ｂを拡大して示す拡大図であって、導通経路を示す図である。図１５は、本実施形態に係る腕時計の内部構成を示すと共に、導通経路を示す図である。なお、図１１〜図１５はいずれも、裏側から見た平面図である。なお、表側（紙面奥側）から裏側（紙面手前側）に向けて、おしどり８３、裏押さえ８４、裏物押さえ８５の順に配置されているが、図１４においては、導通経路を分かりやすくするため、それら部材を全て実線で示している。
【００８８】
図１１に示すように、巻真８２は、その末端部８２ａに竜頭８１が取り付けられている。また、巻真８２は、その先端部８２ｂが、胴３１１（図２参照）の３時側に形成される開口３１１ａ（図９等参照）に挿通されて、腕時計１の内部に位置している。巻真８２は、ユーザによる竜頭８１の操作により、回転移動や、巻真８２の延伸方向における直進移動（押し引き動作）を可能に設けられている。詳細な図示は省略するが、巻真８２の先端部８２ｂ側には、キチ車やツヅミ車等の歯車が取り付けられている。巻真８２の先端部８２ｂ側に設けられる歯車は、図９に示される小鉄車３１０と噛み合い、該小鉄車３１０を回転させる。小鉄車３１０の回転は、複数の輪列３５０を介して、腕時計１の中心部に設けられる指針軸に伝達される。このような構成となっているため、ユーザは、竜頭８１を操作することにより、時刻修正を行うことができる。
【００８９】
また、図１１に示すように、巻真８２は、その周面に溝部８２ｃを有している。おしどり８３は、平面視において突出した形状である突出ピン８３ａを有する。おしどり８３の突出ピン８３ａは、巻真８２の溝部８２ａに嵌ると共に、溝部８２ａに接触して設けられている。そのため、巻真８２とおしどり８３とは互いに導通可能となっている。
【００９０】
おしどり８３の突出ピン８３ａが巻真８２の溝部８２ａに嵌っているため、ユーザの操作により、巻真８２がその延伸方向における直進移動をするのに伴い、おしどり８３は、図１１に示す位置決めピン８３ｂを中心として揺動する。
【００９１】
裏押さえ８４は、おしどり８３よりも裏側に設けられており、表側（図１２の紙面奥側）に向けて屈曲した弾性部８４ａを有している。弾性部８４ａは、図１１、図１２に示す接点Ｐ１において、おしどり８３と弾性的に接触している。これにより、竜頭８１からおしどり８３までの導通経路Ｃ１が形成されている。
【００９２】
裏押さえ８４は、巻真８２が特定の位置となるようにおしどり８３を付勢している。これにより、ユーザは竜頭８１を操作した際に適当なクリック感を得ることができる。また、裏押さえ８４は、裏側（図１２の紙面手前側）に向けて屈曲した弾性部８４ｂを有している。
【００９３】
裏物押さえ８５は、裏押さえ８４よりも裏側に設けられている。また、裏押さえ８４の弾性部８４ｂは、図１２、図１３に示す接点Ｐ２において、裏物押さえ８５と弾性的に接触している。これにより、おしどり８３から裏物押さえ８５までの導通経路Ｃ２が形成されている。
【００９４】
さらに、裏物押さえ８５は、裏側（図１３の紙面手前側）に突出する突起８５ａ、８５ｂを有している。突起８５ａ、８５ｂは、裏物押さえ８５よりも裏側に設けられる時計回路基板４１３と接触している。具体的には、裏物押さえ８５は、時計回路基板４１３の表面に形成されるプリントパターンと、図１３に示す接点Ｐ３、Ｐ４で接触している。これにより、裏押さえ８４から時計回路基板４１３までの導通経路Ｃ３、Ｃ４が形成されている。
【００９５】
以上説明したように、竜頭８１は、巻真８２、おしどり８３、裏押さえ８４、裏物押さえ８５を介して時計回路基板４１３と導通している。なお、図１４においては、図１１〜図１３で示した導通経路Ｃ1〜Ｃ４をまとめて示している。
【００９６】
さらに、アースバネ４２０が、時計回路基板４１３の裏面に形成されるプリントパターンと、図１５に示す接点Ｐ５で接触して設けられている。これにより、裏物押さえ８５からアースバネ４２０までの導通経路Ｃ５が形成されている。なお、時計回路基板４１３の裏面に形成されるプリントパターンと表面に形成されるプリントパターンとはスルーホールを介して導通している。
【００９７】
さらに、アースバネ４２０は、時計回路基板４１３よりも裏側に設けられる裏蓋３１２と、図１５、図２に示す接点Ｐ６で弾性的に接触している。これにより、時計回路基板４１３から裏蓋３１２までの導通経路Ｃ６が形成されている。
【００９８】
以上説明したように、巻真８２、おしどり８３、裏押さえ８４、裏物押させ８５、時計回路基板４１３、及びアースバネ４２０は、竜頭８１と裏蓋３１２とを導通する導通経路を形成している。
【００９９】
なお、図１５に示すように、竜頭８１と裏蓋３１２との導通経路となっている時計回路基板４１３は、平面視において静電モータ２００を避けるように形成される切り欠き４１３ａを有する形状であるとよい。
【０１００】
本実施形態においては、図１４、図１５で示すように、静電モータ２００が、平面視において竜頭８１と裏蓋３１２とを導通する導通経路Ｃ１〜Ｃ６と重ならないように配置されている。すなわち、静電モータ２００は、平面視において、操作部材（竜頭８１及び巻真８２）、伝達機構（図９中の領域Ｂ）、時計回路基板４１３、アースバネ４２０と重ならないように配置されている。そのため、ユーザが竜頭８１を操作することで、腕時計１の内部に静電気が流れ込んだとしても、その静電気は静電モータ２００に近接することなく裏蓋３１２に放出されることとなる。そのため、静電モータ２００は、外部から流入した静電気の影響を受けることなく正常に動作を行うことができる。
【０１０１】
また、図９に示すように、１２時位置と６時位置とを結ぶ直線Ｌ１により区画される２つの領域のうち、竜頭８１と、静電モータ２００が有する回転軸１５０とは異なる領域に配置されているとよい。このように、静電モータ２００を、静電気が流入してくる原因となる竜頭８１から離れた位置に配置することにより、静電気による影響を抑制することができる。
【０１０２】
なお、腕時計１を構成する部品は、竜頭８１や巻真８２のみに限らず、金属からなるものを多数含んでいる。その中でも竜頭８１や巻真８２は小型の部品であるため、その内部を流れる電流密度が比較的高くなっている。そのため、静電モータ２００の配置において、腕時計１を構成する部品のうち竜頭８１や巻真８２との関係を特に考慮する必要があると考えられる。
【０１０３】
また、図９等に示すように、平面視において、静電モータ２００と電池２０との最短距離は、電磁モータ７０と電池２０との最短距離よりも遠いとよい。静電モータ２００を、帯電電圧に影響を及ぼす可能性のある電池２０から離れた位置に配置することで、より安定して静電モータ２００を駆動させることができる。
【０１０４】
なお、上記においては、静電モータ２００が、平面視において導通経路Ｃ１〜Ｃ６と重ならないように配置されているとの説明を行ったが、これに限られるものではなく、少なくとも、静電モータ２００が備えるエレクトレット面１１１ａ、１１２ａが、平面視において導通経路Ｃ１〜Ｃ６と重ならないように配置されているとよい。外部から流入した静電気により影響を受ける可能性があるのは、エレクトレット基板１１０の帯電電圧であるためである。平面視において、少なくともエレクトレット面１１１ａ、１１２ａが導通経路Ｃ１〜Ｃ６と重ならないように配置されていれば、エレクトレット基板１１０の帯電電圧が外部から流入した静電気により受ける影響を抑制することができる。
【０１０５】
なお、上記においては、主に静電モータ２００が、平面視において導通経路Ｃ１〜Ｃ６と重ならないように配置されていることについての説明を行ったが、同様に、発電装置１００も、平面視において導通経路Ｃ１〜Ｃ６と重ならないように配置されているとよい。図９、図１５等において、発電装置１００が、平面視において導通経路Ｃ１〜Ｃ６と重ならないように配置されていることが示されている。なお、少なくとも、発電装置１００が備えるエレクトレット面１１１ａ、１１２ａが、平面視において導通経路Ｃ１〜Ｃ６と重ならないように配置されているとよい。このような配置とすることにより、発電装置１００が備えるエレクトレット基板１１０の帯電電位が、外部から流入した静電気により受ける影響を抑制することができる。その結果、発電装置１００において、より効率良く発電を行うことができる。
【０１０６】
なお、図１５に示すように、静電モータ２００は、モジュール化されてケース２５０内に収容されているとよい。このような構成を採用することにより、地板４１１への組み付けやすさが向上するなど、静電モータ２００の取り扱いが容易となる。
【０１０７】
なお、本実施形態においては、外部からの静電気を放出する部材として裏蓋３１２を採用したが、これに限られるものではなく、図１６に示すように、胴３１１であってもよい。図１６においては、アースバネ４２０が胴３１１の内面に対して接点Ｐ６において弾性的に接触する例（第１変形例）を示している。図１６に示す例においては、アースバネ４２０は、紙面手前側に配置される裏蓋３１２（図１６においては不図示）に対して接触していなくてよい。このような構成により、竜頭８１は、導通経路Ｃ１〜Ｃ５（図１４等参照）及び導通経路Ｃ６（図１６参照）を介して、胴３１１と導通している。この場合においても、静電モータ２００におけるエレクトレット面１１１ａ、１１２ａが、平面視において竜頭８１と胴３１１を導通する導通経路と重ならないように配置されるとよい。なお、図１６に示す構成を採用した場合において、発電モータ１００におけるエレクトレット面１１１ａ、１１２ａについても同様に、平面視において竜頭８１と胴３１１を導通する導通経路と重ならないように配置されるとよい。
【０１０８】
なお、胴３１１に対して導通される部材はアースバネ４２０に限られるものではなく、他の金属部材であってもよい。以下、図１７を参照して、地板４１１の位置決めを行う位置決め部材４１１ａが胴３１１に対して導通される例を説明する。
【０１０９】
図１７は、第２変形例の腕時計の内部を裏側から見た概略平面図である。なお、図１７に示す構成は、位置決め部材４１１ａが設けられていることを除いて、図９で示した構成と同様である。図１８は、おしどり及びその周辺を示す斜視図である。図１９は、図１７のＸＩＸ−ＸＩＸ切断線における断面を模式的に示す断面図である。本実施形態において地板４１１は金属等の導通部材によって形成されている。
【０１１０】
おしどり８３は、位置決めピン８３ｂを中心に揺動する。図１８に示すように、位置決めピン８３ｂは、地板４１１に対して固定されている。また、位置決めピン８３ｂは、金属等の導通部材からなる。そのため、おしどり８３と地板４１１との間には、位置決めピン８３ｂを介する導通経路が形成されている。
【０１１１】
位置決め部材４１１ａは、側止め板４１１ａ１と、側止め板４１１ａ１の一端側に形成されるネジ孔に挿通されるネジ４１１ａ２と、を含む。また、図１９に示すように、胴３１１には、径方向に凹む溝３１１ａが形成されている。側止め板４１１ａ１と、側止め板４１１ａ１はそれぞれ金属等の導通部材からなる。
【０１１２】
図１９に示すように、側止め板４１１ａ１は、その他端側の一部が溝３１１ａの側面に接触した状態で、ネジ４１１ａ２により締結される。それにより、胴３１１に対する地板４１１の位置決めが行われると共に、地板４１１と胴３１１との間には、位置決め部材４１１ａを介する導通経路が形成される。
【０１１３】
以上説明した構成によると、位置決めピン８３ｂと胴３１１との間には導通経路が形成される。この導通経路と、竜頭８１とおしどり８３の間に形成される上述の導通経路Ｃ１により、竜頭８１と胴３１１は導通している。なお、図１７においては、位置決め部材４１１が３つ設けられる例を示すが、その数や配置については図示のものに限られない。位置決め部材４１１ａの少なくとも１つが、１２時位置と６時位置とを結ぶ直線Ｌ１と、３時位置と９時位置とを結ぶ直線Ｌ２とにより区画される４つの領域のうち、静電モータ２００が有する回転軸１５０が配置される領域と異なる領域に配置されているとよい。図１７に示す例においては、位置決め部材４１１ａの１つを、１２時位置と３時位置との間の領域に配置した。この位置決め部材４１１ａを通じて、外部から流入した静電気は胴３１１へ流れ、胴３１１において、放出されることとなる。
【０１１４】
なお、本実施形態においては、文字板３２には、エレクトレット基板１１０の一部を外部から視認させる貫通孔部が形成されている。具体的には、図１に示すように、発電装置１００が備えるエレクトレット基板１１０の一部を外部から視認させる貫通孔部３２１、３２２と、静電モータ２００が備えるエレクトレット基板１１０の一部を外部から視認させる貫通孔部３２３が形成されている。これにより、ユーザがエレクトレット基板１１０の回転動作を視認することができ、デザイン性が向上することとなる。なお、エレクトレット基板１１０を外部から視認させるために、エレクトレット基板１１０よりも文字板３２側に配置される対向基板を、透明材料で構成するとよい。その場合、透明材料からなる対向基板に設けられる対向電極として、ＩＴＯ（Indium Tin Oxide）等の透明電極を用いるとよい。
【０１１５】
また、図１０で示したように、静電モータ２００等と文字板３２との間に設けられる筒車押さえ４１２は、静電モータ２００が有するエレクトレット基板１１０の一部を露出する貫通孔部４１２ｃを有している。この貫通孔部４１２ｃは、文字板３２の貫通孔部３２３の形状に沿った形状であるとよい。これにより、ユーザはエレクトレット基板１１０を外部から視認することが可能となる。
【０１１６】
また、本実施形態においては、腕時計１を示したが、少なくとも、静電モータ２００を有するものであれば腕時計に限られるものではない。また、腕時計１は、電子時計に限られるものでもなく、機械式時計であってもよい。
【０１１７】
また、上記各実施形態においては、エレクトレット基板１１０の両面側に対向基板がそれぞれ配置される構成について示したが、片面側のみに対向基板が配置される構成であってもよい。すなわち、例えば、本実施形態において、図４に示す対向基板１３０が設けられておらず、対向基板１２０のみが設けられる構成であってもよい。この場合、エレクトレット基板１１０の面のうち対向基板１２０と対向する側の面にのみエレクトレット膜１１１を設けるとよい。
【０１１８】
なお、アースバネ４２０は、平面視において回転錘１５の回転軌跡と重ならないように配置されているとよい。例えば、図２に示すように、アースバネ４２０は、平面視における回転錘１５の回転軌跡の外側に配置されているとよい。このような構成とすることにより、回転錘１５と干渉することなく、アースバネ４２０を裏蓋３１２に導通させることができる。
【０１１９】
以上、本発明に係る実施形態について説明したが、この実施形態に示した具体的な構成は一例として示したものであり、本発明の技術的範囲をこれに限定することは意図されていない。当業者は、これら開示された実施形態を適宜変形してもよく、本明細書にて開示される発明の技術的範囲は、そのようになされた変形をも含むものと理解すべきである。
【符号の説明】
【０１２０】
１  腕時計、２  秒針、３  分針、４  時針、１５  回転錘、２０  電池、３１  外装ケース、３１１  胴、３１２  裏蓋、３２  文字板、３３  略字、３４  時字、３８  ムーブメント、４０  制御回路、５０  静電モータ駆動回路、６０  電磁モータ駆動回路、６１，６２  整流回路、６３  スイッチ、７０  電磁モータ、７１  コイル、８１  竜頭、８２  巻真、８３  おしどり、８４  裏押さえ、８５  裏物押さえ、１００  発電装置、１１０  エレクトレット基板、１１１，１１２  エレクトレット膜、１２０，１３０  対向基板，１２１，１３１  対向電極、１５０  回転軸、２００  静電モータ、４１１  地板、４１２  筒車押さえ、４１３  時計回路基板、４２０  アースバネ。
【図１】
2020153969.tif 000003
【図２】
2020153969.tif 000004
【図３】
2020153969.tif 000005
【図４】
2020153969.tif 000006
【図５】
2020153969.tif 000007
【図６】
2020153969.tif 000008
【図７】
2020153969.tif 000009
【図８】
2020153969.tif 000010
【図９】
2020153969.tif 000011
【図１０】
2020153969.tif 000012
【図１１】
2020153969.tif 000013
【図１２】
2020153969.tif 000014
【図１３】
2020153969.tif 000015
【図１４】
2020153969.tif 000016
【図１５】
2020153969.tif 000017
【図１６】
2020153969.tif 000018
【図１７】
2020153969.tif 000019
【図１８】
2020153969.tif 000020
【図１９】
2020153969.tif 000021